(57)【要約】      （修正有）【課題】レベル調整が容易で、施工が簡便な床用の根太支持具と床部材を提供。【解決手段】互いに背向する側面の長手方向に根太支持具２０を係止する係止溝を有する根太と、床基盤１上に保持され、根太の下端部が挿脱自在に保持される上端開口の根太収納溝と、根太の係止溝に頭部が保持される係止ボルト部材２１が上下方向に移動可能に挿通するスリットを有する一対の立壁部を有する根太支持具本体２２と、係止ボルト部材が挿通する通孔を有し、根太支持具本体の立壁部の根太収納溝と背向する壁面に当接固定される調整アングル部材２３と、この調整アングル部材に螺合し、根太支持具本体に対して調整アングル部材とともに係止ボルト及び根太を上下方向に位置合わせする位置調整ねじ２４と、係止ボルト部材と係合しこのボルト部材の頭部との間で根太、根太支持具本体の立壁部及びブラケットを一体的に固定するナット部材２５とを有することを特徴とする。【選択図】図２
2004183355.tif 000002
【特許請求の範囲】
【請求項１】
互いに背向する側面の少なくとも片側に長手方向に延びる係止溝を有する根太を支持する根太支持具であって、
該根太の該係止溝に頭部が収納保持される係止ボルト部材と、
床基盤上に保持され、該係止溝を有する該根太の下端部分が挿脱自在に保持される上端開口の根太収納溝を区画するとともに該係止ボルト部材が上下方向に移動可能に挿通する通孔あるいは上端開口のスリットを有する一対の立壁部と一対の該立壁部を一体的に固定する基部とを有する根太支持具本体と、
該係止ボルト部材が挿通する通孔を有し該根太支持具本体の該立壁部の該根太収納溝と背向する壁面に当接固定される調整アングル部材と、
該調整アングル部材に螺合し、該根太支持具本体に対して該調整アングル部材とともに該係止ボルト及び該根太を上下方向に位置合わせする位置調節ねじと、
該係止ボルト部材と係合し該ボルト部材の頭部との間で該根太、該根太支持具本体の該立壁部及び該調整アングル部材を一体的に固定するナット部材と、
を有することを特徴とする根太支持具。
【請求項２】
前記根太支持具本体の前記基部は前記一対の立壁部の下端と一体的に形成されさらに該立壁部を越えて互いに背向する側に突出したフランジ部を持ち、前記位置調節ねじの下端が該フランジ部に支持される請求項１記載の根太支持具。
【請求項３】
前記調整アングル部材は断面Ｌ字状である請求項１又は２記載の根太支持具。
【請求項４】
前記調整アングル部材は水平方向の中央部に前記通孔を有し、該通孔の両側にそれぞれ前記位置調節ねじを持つ請求項１〜３記載の根太支持具。
【請求項５】
互いに背向する側面の少なくとも片側に長手方向に延びる係止溝を有し、互いに平行に配置された少なくとも２個の根太と、
各該根太の少なくとも両端部分に固定された、該根太の該係止溝に頭部が収納保持される係止ボルト部材と、床基盤上に保持され該係止溝を有する該根太の下端部分が挿脱自在に保持される上端開口の根太収納溝を区画するとともに該係止ボルト部材が上下方向に移動可能に挿通する通孔あるいは上端開口のスリットを有する一対の立壁部と一対の該立壁部を一体的に固定する基部とを有する根太支持具本体と、該係止ボルト部材が挿通する通孔を有し該根太本体の該立壁部の該根太収納溝と背向する壁面に当接固定される調整アングル部材と、該調整アングル部材に螺合し、該根太支持具本体に対して該調整アングル部材とともに該係止ボルト及び該根太を上下方向に位置合わせする位置調節ねじと、該係止ボルト部材と係合し該ボルト部材の頭部との間で該根太、該根太支持具本体の該立壁部及び該調整アングル部材を一体的に固定するナット部材と、を有する根太支持具と、
隣接する２個の該根太に各端部が保持された床板部材と、
を有することを特徴とする床部材。
【発明の詳細な説明】
【０００１】
【発明の属する技術分野】
本発明は、根太支持具およびこのような根太支持具を使用する床部材に関する。より詳しくは、床面の低いバルコニーなどに好適な根太支持具および床部材に関する。
【０００２】
【従来の技術】
従来の根太支持具としては、いろいろな構造のものが提案されており、例えば、図８に示すものがある（特許文献１参照）。本例では、床基盤１上に配置され根太１０を支持する根太支持具３０は、床基盤１上に立設される脚部３１と、この脚部３１の上部に高さ可変に取り付けられる根太支持部４０とから構成されている。ここで、根太支持部４０は、根太１０下面に当接して根太１０を支承する底板４１と、この底板の両側部から立設され、弾性的に外側に向け湾曲可能な腕部４５と、腕部４５の先端に形成され、上方から腕部４５の間に挿入された根太１０の係止溝１１に嵌まり込み、根太１０を係止する係合爪部４８とを備え、合成樹脂で構成されている。
【０００３】
また、脚部３１は床基盤１上に載置される合成樹脂製の基台３２と、この基台３２上に回転可能に配置されるねじ棒３３とからなり、根太支持部４０は、ねじ棒３３にねじ込まれ、床基盤１からの高さを可変に配置されている。
【０００４】
従って、根太１０に根太支持具３０を取り付けるには、根太１０に開設されたねじ棒貫通孔５４に合わせて根太支持具３０を取り付け、根太支持具３０を取り付けた根太１０を床基盤１上に載置するとしている。
【０００５】
【特許文献１】
特開２００２−１２１８８４号公報
【０００６】
【発明の解決しようとする課題】
しかし、上記の例のように従来技術になる根太支持具は、床基盤から床面までの高さが高いものが多く、例えば、バルコニーなどのように床基盤から床面までの高さスペースが余りない床構造においては図８のような根太支持具は必ずしも適当ではない。従来、このような床基盤までのスペースが少ない床構造では、図９に示すように、床５０の形状に合わせて額縁状に根太組みし、さらに根太組み１０の上に根太板を渡して、必要に応じて根太組みと根太板の間にスペーサを挿入することで高さや水平の調整を行って、根太板の上面に床板を敷設して形成したものが一般的であった。しかし、このような従来方法では、根太組みに工数が掛かる、また、根太組みと根太板との間にスペーサを挿入してレベル調整するので作業が繁雑である、などといった問題があった。
【０００７】
本発明は、以上のような問題点を解決するためになされたものであり、その目的は、レベル調整が容易であり、施工が簡便な床用の根太支持具と、この根太支持具を使用した床部材とを提供することである。
【０００８】
【課題を解決するための手段】
本発明の根太支持具は、互いに背向する側面の少なくとも片側に長手方向に延びる係止溝を有する根太を支持する根太支持具であって、この根太の係止溝に頭部が収納保持される係止ボルト部材と、床基盤上に保持され、上記の係止溝を有する根太の下端部分が挿脱自在に保持される上端開口の根太収納溝を区画するとともに、前記の係止ボルト部材が上下方向に移動可能に挿通する通孔あるいは上端開口のスリットを有する一対の立壁部とこの一対の立壁部を一体的に固定する基部とを有する根太支持具本体と、係止ボルト部材が挿通する通孔を有し、根太支持具本体の立壁部の根太収納溝と背向する壁面に当接固定される調整アングル部材と、この調整アングル部材に螺合し、根太支持具本体に対して調整アングル部材とともに係止ボルト及び根太を上下方向に位置合わせする位置調節ねじと、係止ボルト部材と係合しこのボルト部材の頭部との間で根太、根太支持具本体の該立壁部及びブラケットを一体的に固定するナット部材と、を有することを特徴とする。
【０００９】
また、本発明の根太支持具本体の基部は、一対の立壁部の下端と一体的に形成されさらにこの立壁部を越えて互いに背向する側に突出したフランジ部を持ち、位置調節ねじの下端がフランジ部に支持されるようになっている。
【００１０】
ここで、調整アングル部材は断面Ｌ字状であり、水平方向の中央部に係止ボルト部材を挿通する通孔を有し、その両側にそれぞれ位置調節ねじが螺合する雌ねじ穴を有している。
【００１１】
本発明の床部材は、互いに背向する側面の少なくとも片側に長手方向に延びる係止溝を有し、互いに平行に配置された少なくとも２個の根太と、各根太の少なくとも両端部分に固定された、根太の係止溝に頭部が収納保持される係止ボルト部材と、床基盤上に保持され、係止溝を有する根太の下端部分が挿脱自在に保持される上端開口の根太収納溝を区画するとともに、係止ボルト部材が上下方向に移動可能に挿通する通孔あるいは上端開口のスリットを有する一対の立壁部とこの立壁部を一体的に固定する基部とを有する根太支持具本体と、係止ボルト部材が挿通する通孔を有し根太支持具本体の立壁部の根太収納溝と背向する壁面に当接固定される調整アングル部材と、この調整アングル部材に螺合し、根太支持具本体に対して調整アングル部材とともに係止ボルト及び根太を上下方向に位置合わせする位置調節ねじと、係止ボルト部材と係合し、このボルト部材の頭部との間で根太、根太支持具本体の立壁部及び調整アングル部材を一体的に固定するナット部材と、を有する根太支持具と、隣接する２個の根太に各端部が保持された床板部材と、を有することを特徴とする。
【００１２】
【実施例】
図面に基づき本発明の根太支持具および床部材について説明する。
【００１３】
本実施例で使用した根太の断面形状を図１に示す。根太１０は互いに背向する側面１１にそれぞれ長手方向に延びる床板部材を支承するフランジ部１２と根太支持具を係止する係止溝１３（図中点線で囲んだ）を有する断面形状であり、本実施例ではアルミニウムの押出し型材を使用した。
【００１４】
この根太１０に係合する根太支持具の概要を図２に示した。図２は、根太支持具２０の構成を示す斜視図である。根太支持具２０は、一対の係止ボルト部材２１と、根太支持具本体２２と、一対の調整アングル部材２３と、位置調節ねじ２４と、一対のナット部材２５とから構成されている。
【００１５】
係止ボルト部材２１は、頭部２１ａが根太１０の係止溝１３に収納されて係合し、雄ねじ部２１ｂで根太支持具本体２２と調整アングル部材２３とを挿通してねじ部材２５を螺合することにより一体的に固定する。
【００１６】
根太支持具本体２２はコンクリートあるいは土間などの床基盤１上に保持されて根太１０を支持する部材であり、図３に示すように一対の立壁部２６と、この立壁部２６を一体的に固定する基部２７とから形成されている。一対の立壁部２６は根太１０のフランジ１２よりも下の部分が挿脱自在となるように根太収納溝２８を区画している。また、立壁部２６にはその中央部に各々上端開口のスリット２９を有している。このスリット２９は係止ボルト部材２１が上下に移動可能に挿通される案内溝であるので上下に長い長穴でも良い。基部２７は立壁部２６を越えて互いに背向する側に突出したフランジ部２７ａを有しており、位置調整ねじ２４の下端部を支持する。
【００１７】
調整アングル部材２３は、図４の斜視図に示すように断面Ｌ字状で、垂直部２３ａの中央部に係止ボルト部材２１を挿通する通孔３１を穿設し、水平部２３ｂの端部寄りに位置調節ねじ２４と螺合する雌ねじ穴３２を有している。
【００１８】
位置調節ねじ２４は調整アングル部材２３と螺合し、ねじ部２４ｂの先端は根太支持具本体２２のフランジ部２７ａに支持されている。位置調節ねじ２４を回転することにより調整アングル部材２３を根太支持具本体２２に対して相対的に上下することができる。調整アングル部材２３の通孔３１には根太１０に係合した係止ボルト部材２１が挿通されているので、根太１０の高さを根太支持具本体２２に対して相対的に調整することができる。なお、位置調節ねじ２４の頭部２４ａは床面上部から容易に位置調節を行えるように六角形または十字形などの凹部を有することが望ましい。なお、本実施例では、調節ねじ２４を４本使用する根太支持具２０を例示したが、根太１０の位置調節には必ずしも４本の調節ねじ２４が必要ではなく少なくとも１本以上具備しておればよい。
【００１９】
本実施例の根太１０に根太支持具２０を取り付けるには、次の手順によればよい。まず、調整アングル部材２３の雌ねじ穴３２に位置調節ねじ２４を螺合させる。次に、係止ボルト部材２１を調整アングル部材２３の通孔３１に挿通し、さらに根太支持具本体２２の立壁部２６に設けたスリット２９へ係合して、係止ボルト部材２１の雄ねじ部２１ｂにナット部材２５を螺合して、位置調節ねじ２４を螺合した調整アングル部材２３を立壁部２６に当接させて根太支持具２０とする。
【００２０】
以上のように組み立てられた根太支持具２０を根太１０の端部１０ａから係止ボルト部材２１の頭部２１ａが根太１０の係止溝１３に収納保持されるように挿着する。根太１０の両端部に挿着した根太支持具２０の位置調節ねじ２４で根太１０の高低および水平を調整する。位置調節が完了した時点で、ナット部材２５を締め増しして根太１０の係止溝１３と、根太支持具本体２２の立壁部２６と、調整アングル部材２３とを一体的に固定する。
【００２１】
以上のように、本実施例の根太支持具２０を使用すれば、根太１０を床基盤１上に容易に配設することができる。
【００２２】
図５は床基盤１上に敷設された本発明の床部材の側面概略図である。床部材４０は少なくとも２個の根太１０と、これらの根太を支持する根太支持具２０と、床板部材４１とから構成される。床板部材４１は根太１０のフランジ部１２によって支承され、押さえ部材４３と固定ねじ４２とによって根太１０に固定することができる。
【００２３】
このような構成の床部材４０を接続して敷設することにより、例えば図６のようなバルコニーを容易に敷設することができる。図６は建物５１から張り出した逆Ｌ字型の床面を持つバルコニー５０の根太１０の配置を示す平面概略図である。根太粗材を所望長さの根太１０に切断して両端に根太支持具２０を係止し、床基盤１上に配設する。各根太１０の間に図示しない床板部材を敷設することによりバルコニー５０を形成することができる。
【００２４】
なお、本発明の根太支持具２０は、係止溝が側面の片側にしかない断面形状の根太についても好適に使用できる。例えば、図７のような上部に床板部材の一部を収納するチャンネルを有する断面形状の根太１０１についても好適に使用できる。すなわち、根太１０１の下端部分を根太支持具２０の根太収納溝に挿着し、片側の係止ボルト部材２１および調整アングル２３のみで根太１０１に根太支持具２０を係止すればよい。このような断面形状の根太は、床面の縁部で使用される場合がある。
【００２５】
【発明の効果】
本発明によれば、根太板が不要となるので部品点数が少なくなり工数とコストとを低減することができる。また、根太に根太支持具を容易に装着することができるとともに、床面側から支持具の位置調節ねじを操作することができるので極めて作業性に優れている。
【００２６】
本発明の床部材は、所望の長さに切断した根太と床板部材との組み合わせ構成されているので、多様な形状の床に柔軟に対応することができる。また、床部材では、根太や根太支持具は金属や樹脂など耐食性に優れた材料を使用することができるので、床板部材に耐食性に優れた材料を使用すれば、屋外での敷設も可能である。特に床面の低いバルコニーなどには好適に使用できる。
【図面の簡単な説明】
【図１】本発明の実施例で使用した根太の断面形状を示す斜視図である。
【図２】本発明の根太支持具の構成概要を示す斜視図である。
【図３】根太支持具本体の形状を示す斜視図である。
【図４】根太支持具の調整アングル部材の形状を示す斜視図である。
【図５】本発明の床部材の構成を示す側面概略図である。
【図６】本発明の床部材を敷設したバルコニーの一例であり、根太の配置を示す概略図である。
【図７】係止溝が片側にしかない根太と本発明の根太支持具との係止状態を示す側面図である。
【図８】従来の根太支持具の一例を示す説明図である。
【図９】従来のバルコニーの根太組みを示す平面概略図である。
【符号の説明】
１：床基盤  １０：根太  １３：係止溝  ２０：根太支持具  ２１：係止ボルト部材  ２２：根太支持具本体  ２３：調整アングル部材  ２４：位置調節ねじ  ２５：ナット部材  ２６：立壁部  ２７ａ：フランジ部  ２８：根太収納溝  ２９：スリット  ４０：床部材  ４１：床板部材  ４２：固定ねじ  ４３：押さえ部材  ５０：バルコニー  ５１：建物
【図１】
2004183355.tif 000003
【図２】
2004183355.tif 000004
【図３】
2004183355.tif 000005
【図４】
2004183355.tif 000006
【図５】
2004183355.tif 000007
【図６】
2004183355.tif 000008
【図７】
2004183355.tif 000009
【図８】
2004183355.tif 000010
【図９】
2004183355.tif 000011